(57)【要約】  【課題】タッチパネルによる入力操作を容易にすることにある。  【解決手段】表示装置の前面にタッチパネルを備えた入力装置であって、所定の位置に置かれたユーザの手を検知するためのスイッチと、前記スイッチがユーザの手を検知した場合に、前記表示装置に表示する入力受付ボタンを、ユーザの手を検知しない場合に比べて、前記所定の位置に近づけて表示する入力受付ボタン表示手段とを備える。【選択図】図１
2008129689.tif 000002
【特許請求の範囲】
【請求項１】
表示装置の前面にタッチパネルを備えた入力装置であって、
所定の位置に置かれたユーザの手を検知するためのスイッチと、
前記スイッチがユーザの手を検知した場合に、前記表示装置に表示する入力受付ボタンを、ユーザの手を検知しない場合に比べて、前記所定の位置に近づけて表示する入力受付ボタン表示手段と
を備えることを特徴とする入力装置。
【請求項２】
請求項１に記載の入力装置であって、
前記入力受付ボタン表示手段は、
前記スイッチがユーザの手を検知した場合に、ユーザの手を検知しない場合に比べて、前記入力受付ボタンを縮小して表示する
ことを特徴とする入力装置。
【請求項３】
請求項１に記載の入力装置であって、
前記入力受付ボタン表示手段は、
前記スイッチがユーザの手を検知した場合に、ユーザの手を検知しない場合に比べて、前記入力受付ボタンの間隔を狭めて表示する
ことを特徴とする入力装置。
【請求項４】
請求項１に記載の入力装置であって、
前記入力受付ボタン表示手段は、
前記スイッチがユーザの手を検知した場合に、スクロールやプルダウンにより、ユーザの手を検知しない場合に比べて、前記入力受付ボタンの数を減らして表示する
ことを特徴とする入力装置。
【請求項５】
請求項１に記載の入力装置であって、
前記入力受付ボタン表示手段は、
前記スイッチがユーザの手を検知した場合に、前記表示装置に表示する複数の入力受付ボタンの相互の位置関係を変更して表示する
ことを特徴とする入力装置。
【請求項６】
請求項１に記載の入力装置であって、
前記入力受付ボタン表示手段は、
前記スイッチがユーザの手を検知した場合に、前記入力受付ボタンを扇形に配置して表示する
ことを特徴とする入力装置。
【請求項７】
請求項１に記載の入力装置であって、
現在位置を示すマークを示した地図の表示中に、前記スイッチがユーザの手を検知し、前記入力受付ボタン表示手段が前記入力受付ボタンの配置を変更した場合に、
前記現在位置を示すマークが前記入力受付ボタンにより隠れずに表示されるように、前記現在位置を示すマークの表示画面に対する位置を変更する手段を備える
ことを特徴とする入力装置。
【請求項８】
請求項１に記載の入力装置であって、
前記入力受付ボタン表示手段は、
前記表示装置に予め定められた情報が表示されている場合、前記スイッチがユーザの手を検知した場合でも、前記入力受付ボタンの表示態様を変更しない
ことを特徴とする入力装置。
【請求項９】
請求項１に記載の入力装置であって、
前記スイッチは、
前記表示装置の表示方向下方に設置され、当該表示方向下方に置かれたユーザの手を検知するものであり、
前記入力受付ボタン表示手段は、
前記スイッチがユーザの手を検知した場合に、前記入力受付ボタンの表示位置を、ユーザの手を検知しない場合に比べて、下方に変更する
ことを特徴とする入力装置。
【請求項１０】
表示装置の前面にタッチパネルを備えた入力装置であって、
所定の位置に置かれたユーザの手を検知するためのスイッチと、
入力受付モードに対応させて、前記スイッチがユーザの手を検知していない場合に表示する第１の入力受付画面と、前記スイッチがユーザの手を検知している場合に表示する第２の入力受付画面とを記憶する手段と、
前記スイッチがユーザの手を検知していない場合、その時点の入力受付モードに対応する前記第１の入力受付画面を表示し、前記スイッチがユーザの手を検知している場合、その時点の入力受付モードに対応する前記第２の入力受付画面を表示する入力受付ボタン表示手段と
を備えることを特徴とする入力装置。
【請求項１１】
表示装置の前面にタッチパネルを備えた入力装置の入力受付方法であって、
前記入力装置は、
所定の位置に置かれたユーザの手を検知するためのスイッチを備え、
前記スイッチがユーザの手を検知した場合に、前記表示装置に表示する入力受付ボタンを、ユーザの手を検知しない場合に比べて、前記所定の位置に近づけて表示する
ことを特徴とする入力装置の入力受付方法。
【請求項１２】
表示装置の前面にタッチパネルを備えた入力装置の入力受付方法であって、
前記入力装置は、
所定の位置に置かれたユーザの手を検知するためのスイッチと、
入力受付モードに対応させて、前記スイッチがユーザの手を検知していない場合に表示する第１の入力受付画面と、前記スイッチがユーザの手を検知している場合に表示する第２の入力受付画面とを記憶する手段とを備え、
前記スイッチがユーザの手を検知していない場合、その時点の入力受付モードに対応する前記第１の入力受付画面を表示し、前記スイッチがユーザの手を検知している場合、その時点の入力受付モードに対応する前記第２の入力受付画面を表示する
ことを特徴とする入力装置の入力受付方法。
【発明の詳細な説明】
【技術分野】
【０００１】
本発明は、タッチパネルを備えた入力装置に関する。
【背景技術】
【０００２】
車載用ナビゲーション装置などの情報機器の中には、入力装置として表示画面の前面（表示画面側）にタッチパネルを備えるものがある。このような情報機器は、例えば、表示画面に、複数の選択肢からなるメニューを表示する。ユーザは、希望の選択肢をタッチすることで選択を確定する。
【０００３】
【特許文献１】特開平７−１９５９６２号公報
【発明の開示】
【発明が解決しようとする課題】
【０００４】
ところで、表示された複数の選択肢の中から目的の選択肢の場所をタッチするのは必ずしも容易ではない。例えば、車載装置の場合、車の揺れにより、目的の選択肢をうまくタッチできない場合がある。一方で、手を安定させるために、手首をタッチパネルの手前のどこかに置いたとしても、指が表示画面上の希望の選択肢に届かなくなることがある。
【０００５】
本発明は、かかる課題を解決すべくなされたものであり、その目的は、タッチパネルによる入力操作を容易にすることにある。
【課題を解決するための手段】
【０００６】
上記課題を解決すべく、本発明の第１の態様は、
表示装置の前面にタッチパネルを備えた入力装置であって、
所定の位置に置かれたユーザの手を検知するためのスイッチと、
前記スイッチがユーザの手を検知した場合に、前記表示装置に表示する入力受付ボタンを、ユーザの手を検知しない場合に比べて、前記所定の位置に近づけて表示する入力受付ボタン表示手段と
を備えることを特徴とする入力装置である。
【０００７】
また、本発明の第２の態様は、
表示装置の前面にタッチパネルを備えた入力装置であって、
所定の位置に置かれたユーザの手を検知するためのスイッチと、
入力受付モードに対応させて、前記スイッチがユーザの手を検知していない場合に表示する第１の入力受付画面と、前記スイッチがユーザの手を検知している場合に表示する第２の入力受付画面とを記憶する手段と、
前記スイッチがユーザの手を検知していない場合、その時点の入力受付モードに対応する前記第１の入力受付画面を表示し、前記スイッチがユーザの手を検知している場合、その時点の入力受付モードに対応する前記第２の入力受付画面を表示する入力受付ボタン表示手段と
を備えることを特徴とする入力装置である。
【発明を実施するための最良の形態】
【０００８】
以下に、本発明の一実施形態について、図面を参照して説明する。
【０００９】
図１は、本発明の一実施形態が適用された車載用ナビゲーション装置１の概略構成図である。図示するように、車載用ナビゲーション装置１は、制御装置１０と、現在位置算出装置２０と、入力装置３０と、表示装置４０とを備えて構成される。
【００１０】
現在位置算出装置２０は、現在位置を算出するための装置であり、車速センサ、ジャイロセンサ、ＧＰＳ(Global Positioning System)受信装置などからなる。
【００１１】
入力装置３０は、ユーザからの指示を受け付けるための装置である。入力装置３０は、表示装置４０の前面（表示面側）に設けられ表示画面を透視可能なタッチパネル３１と、アームレストに内蔵されたアームレストスイッチ３２とを備える。
【００１２】
図２は、車載用ナビゲーション装置１が車両のインストルメントパネル２に設置された様子を示す図である。
【００１３】
図示するように、車載用ナビゲーション装置１は、通常、車両内のフロントガラスの幅に渡って配置されるインストルメントパネル２の中央（ドライバー席と助手席との間）に設置される。表示装置４０の表示画面は、ユーザに見えやすいように、車両の後方を向いている。この方向を、表示方向という。車載用ナビゲーション装置１の表示方向の下方には、ユーザが操作時に手を置いて安定させるためのアームレスト３が存在する。アームレストスイッチ３２は、かかるアームレスト３に内蔵されている。
【００１４】
アームレストスイッチ３２は、手の重みによりＯＮ／ＯＦＦされる仕組みになっている。すなわち、通常、ＯＦＦ状態であるが、ユーザの手が置かれると、ＯＮ状態となる仕組みになっている。なお、アームレストスイッチ３１を接触センサにより構成し、アームレスト３の表面に設けてもよい。そして、ユーザの手の接触により、ユーザの手が置かれたことを検知するようにしてもよい。
【００１５】
図１に戻って説明する。表示装置４０は、液晶表示装置などからなり、制御装置１０で生成されたグラフィックス情報を表示するユニットである。
【００１６】
制御装置１０は、他の装置（現在位置算出装置２０、入力装置３０、表示装置４０など）を制御するための装置である。制御装置１０は、ＣＰＵ（Central Processing Unit）、ＲＡＭ（Random Access Memory）、ＲＯＭ（Read Only Memory）、他の装置（現在位置算出装置２０、入力装置３０、表示装置４０など）とのインターフェース、これらを接続するバス、などからなる汎用的なコンピュータシステムにより構成される。
【００１７】
制御装置１０は、その機能部として、処理実行部１１と、入力内容解析部１２と、画面表示部１３とを備える。
【００１８】
処理実行部１１は、様々な処理を行う中心的ユニットである。例えば、現在位置算出装置２０からの出力から、記憶装置に記憶されている地図データを用いて、マップマッチング処理などにより現在位置を算出する。また、入力内容解析部１２を介して、ユーザの要求を受け付け、受け付けた要求に対応する処理を実行する。また、表示装置４０に表示すべき情報を生成して、生成した情報を表示するように、画面表示部１３に指示する。また、処理モードに応じた入力受付画面を表示するように、画面表示部１３に指示する。
【００１９】
入力内容解析部１２は、入力装置３０を介して入力されたユーザからの要求を解析し、その結果を処理実行部１１に送る。
【００２０】
画面表示部１３は、処理実行部１１からの指示に従って、表示装置４０に情報の表示を行う。例えば、処理実行部１１がユーザからタッチパネルを介して入力を受け付ける状態にある場合、入力受付画面データ１４の中から対応する入力受付画面を抽出し、表示装置４０に表示する。なお、入力受付画面は、メニュー画面ともいう。
【００２１】
これらの機能部は、ＣＰＵがメモリにロードしたプログラムを実行することにより達成される。そのため、ＲＯＭには、各処理を行うためのプログラムが記憶されている。
【００２２】
［動作の説明］次に、本実施形態の車載用ナビゲーション装置１の動作について説明する。なお、本来の基本動作である経路探索や経路誘導などのナビゲーション処理の説明は省略する。
【００２３】
処理実行部１１は、様々なモード（例えば、地点検索、経路探索等）において、メニュー画面を表示する。メニュー画面では、複数の選択肢（例えば、住所検索、目的地設定等）を提示し、その中からいずれかの選択肢を選択させることにより、ユーザの要求を受け付ける。その際、表示画面に、選択肢に対応するボタン（「入力受付ボタン」という）を表示し、タッチパネル３１を介して、いずれかの入力受付ボタンへのタッチ（選択）を受け付ける。
【００２４】
図３は、かかる選択肢の選択処理の際に行われる、入力受付ボタンの表示処理のフロー図である。
【００２５】
処理実行部１１は、アームレストスイッチ３２のＯＦＦ状態では、入力受付ボタンを通常の配置で表示する（Ｓ１１）。具体的には、処理実行部１１は、記憶装置に予め記憶されている入力受付画面データ１４の中から、その時点のモードに対応するメニュー画面を抽出する。そして、処理実行部１１は、抽出したメニュー画面を表示装置４０に表示するように、画面表示部１３に指示する。これを受けて、画面表示部１３は、表示装置４０に、通常の態様で、メニュー画面を表示する。なお、かかるメニュー画面には、選択肢の選択を受け付けるための入力受付ボタンが含まれている。入力受付画面データ１４には、メニュー画面ごとに、各入力受付ボタンの通常（アームレストスイッチ３２がＯＦＦ状態の場合）の配置が記憶されている。
【００２６】
通常の配置で入力受付ボタンを表示している間、処理実行部１１は、入力内容解析部１２を介して、アームレストスイッチ３２がＯＮされたか否か監視する（Ｓ１２）。アームレストスイッチ３２がＯＮされた場合（Ｓ１２でＹ）、処理実行部１１は、メニュー画面中の入力受付ボタンの配置を変更するように、画面表示部１３に指示する。
【００２７】
これを受けて、画面表示部１３は、メニュー画面中の入力受付ボタンの配置を変更する（Ｓ１３）。
【００２８】
図４は、入力受付ボタンの配置を変更する様子を説明するための画面遷移図である。アームレストスイッチ３２がＯＦＦの場合、画面表示部１３は、図４（Ａ）に示すように、メニュー画面中の入力受付ボタン４０１を、表示画面４００の予め定められた位置に配置して表示する。一方、アームレストスイッチ３２がＯＮの状態では、図４（Ｂ）に示すように、入力受付ボタン４０２を、アームレストスイッチ３２がＯＦＦの場合に比べて表示画面４００の下方に移動させて表示する。
【００２９】
これにより、入力受付ボタン４０２をユーザの指が届く範囲に近づけることができる。
【００３０】
その後、処理実行部１１は、入力内容解析部１２を介して、アームレストスイッチ３２がＯＦＦされたか否か監視する。アームレストスイッチ３２がＯＦＦされた場合（Ｓ１２でＮ）、処理実行部１１は、Ｓ１１に戻り、入力受付ボタンの配置を通常の配置に変更するように、画面表示部１３に指示する。これを受けて、画面表示部１３は、入力受付ボタンの配置を通常の配置にして入力受付画面を表示する。
【００３１】
なお、入力受付画面データ１４に、モードごとのメニュー画面における、アームレストスイッチＯＦＦ時の入力受付ボタンの配置と、アームレストスイッチＯＮ時の入力受付ボタンの配置とが記憶されていてもよい。そして、画面表示部１３は、アームレストスイッチＯＦＦ時では、その時点のモードのメニュー画面におけるアームレストスイッチＯＦＦ時の入力受付ボタンの配置に従って、入力受付ボタンの配置を変更する。また、アームレストスイッチＯＮ時では、その時点のモードのメニュー画面におけるアームレストスイッチＯＮ時の入力受付ボタンの配置に従って、入力受付ボタンの配置を変更する。
【００３２】
また、表示画面の下方に、継続して表示が必要な所定の情報（例えば、工事情報）が表示されている場合などは、入力受付ボタン４０１を下方に移動させると、かかる重要な情報が隠れてしまい、不都合である。そこで、画面表示部１３は、表示画面４００に表示されている情報の種類や位置が、予め定めた情報の種類（例えば、工事情報）や予め定めた位置（例えば、下方）である場合には、アームレストスイッチ３２がＯＮ状態でも、入力受付ボタン４０１を移動させないようにしてもよい。
【００３３】
以上、本発明の一実施形態について説明した。
【００３４】
上記実施形態によれば、アームレストスイッチ３２がＯＮされた場合に、表示画面上の入力受付ボタンがユーザの指に近い方向に移動する。したがって、ユーザのタッチパネルへの入力が容易となる。
【００３５】
＜変形例１＞
本発明は、上記実施例に限定されない。上記実施形態は、様々な変形が可能である。
【００３６】
例えば、車両に揺れがある場合（例えば、車両の走行時）にのみ、かかる表示形態の切り替え処理が動作するようにしてもよい。具体的には、図３のＳ１２において、処理実行部１１は、現在位置算出装置２０（例えば、車速センサ）から、車両が走行中か否かを検知する。そして、車両が走行中でない場合は、アームレストスイッチ３２がＯＮされた場合であっても、入力受付ボタンの表示位置の変更を画面表示部１３に指示しない。すなわち、車両が走行中の場合で、かつアームレストスイッチ３２がＯＮされた場合にのみ、画面表示部１３に、入力受付ボタンの表示位置の変更（Ｓ１３）を指示する。
【００３７】
こうすれば、走行中、車両に揺れがあり、ユーザが手の安定を求めてアームレスト３に手を置いた場合にのみ、表示中の入力受付ボタンをユーザの手の位置に近づけることができる。すなわち、車両が停止中で操作に困難性がない場合にまで入力受付ボタンの表示位置が変更されるという、無駄な処理を抑制することができる。
【００３８】
なお、画面表示部１３４は、車速が所定の速度（例えば、時速２０ｋｍ）を超えるか否かを判定し、超えるの場合に、入力受付ボタンの表示位置の変更を行うようにしてもよい。
【００３９】
また、画面表示部１３４は、振動を検知するセンサにより、所定の強度の振動を検知した場合に、入力受付ボタンの表示位置の変更を行うようにしてもよい。
【００４０】
＜変形例２＞
また、アームレストスイッチ３２のＯＮにより、入力受付ボタンの位置を変更する際、入力受付ボタンの大きさや、間隔を変更してもよい。
【００４１】
図５は、かかる場合における、入力受付ボタンの配置の変更の様子を示す画面遷移図である。アームレストスイッチ３２がＯＦＦの場合、画面表示部１３は、図５（Ａ）に示すように、表示画面４００に、入力受付ボタン４１１を、予め定められた配置で表示する。一方、アームレストスイッチ３２がＯＮの状態では、図５（Ｂ）に示すように、入力受付ボタン４１２を、アームレストスイッチ３２がＯＦＦの場合に比べて、その大きさを縮小して、また間隔を狭めて、表示画面４００の下方の領域に移動させて表示する。
【００４２】
こうすれば、入力受付ボタンが多い場合でも、各入力受付ボタンを下方に寄せることができ、アームレスト３に手を置いたユーザの入力操作を容易にすることができる。
【００４３】
＜変形例３＞
また、入力受付ボタンの位置を変更する際、入力受付ボタンの一部の表示を省略してもよい。
【００４４】
図６は、かかる場合における、入力受付ボタンの配置の変更の様子を示す画面遷移図である。アームレストスイッチ３２がＯＦＦの場合、画面表示部１３は、図６（Ａ）に示すように、表示画面４００に、入力受付ボタン４２１を、予め定められた配置で表示する。一方、アームレストスイッチ３２がＯＮの状態では、図６（Ｂ）に示すように、入力受付ボタン４２２を、アームレストスイッチ３２がＯＦＦの場合に比べて、その数を減らして表示する。このとき、画面表示部１３は、スクロールアイコン４２３やプルダウンアイコンを表示する。そして、ユーザからのスクロール要求やプルダウン要求により、省略した入力受付ボタンを表示する。
【００４５】
こうすれば、選択肢が多い場合でも、入力受付ボタンを下方の領域に表示させることができ、アームレスト３に手を置いたユーザの入力操作を容易にすることができる。
【００４６】
＜変形例４＞
また、入力受付ボタンの位置を変更する際、各入力受付ボタンの配置、相互の位置関係を変更してもよい。
【００４７】
図７は、かかる場合における、入力受付ボタンの配置の変更の様子を示す画面遷移図である。アームレストスイッチ３２がＯＦＦの場合、画面表示部１３は、図７（Ａ）に示すように、表示画面４００に、入力受付ボタン４３１を、予め定められた配置で表示する。一方、アームレストスイッチ３２がＯＮの状態では、図７（Ｂ）に示すように、各入力受付ボタン４３２の位置関係を変えて、表示画面４００の下方に表示する。具体的には、縦一列に列挙されていた入力受付ボタン４３１を、一部横に並べることで、下方の領域に収める。
【００４８】
こうすれば、選択肢が多い場合でも、入力受付ボタンを下方の領域に表示させることができ、アームレスト３に手を置いたユーザの入力操作を容易にすることができる。
【００４９】
＜変形例５＞
また、重畳表示している情報（例えば、地図）がある場合、入力受付ボタンの表示態様を切り替える際に、かかる重畳表示している情報の表示態様も変更してもよい。
【００５０】
例えば、図７（Ａ）に示すように、現在位置４５１周辺の地図４４１の表示の上に、入力受付ボタン４３１が重なって表示されている場合がある。画面表示部１３は、入力受付ボタン４３１を下方に移動させた場合、移動前の入力受付ボタン４３１により隠れていた部分（図７の地図の一部４４３）を表示する。一方、それだけでは、現在位置を示すマーク４５１が入力受付ボタン４３２により隠れてしまう場合があるので、現在位置を示すマーク４５１を、入力受付ボタン４３２により隠れない位置に修正する。具体的には、画面表示部１３は、入力受付ボタンの位置を変更した場合、重畳表示により入力受付ボタンの奥に表示されている情報について、予め定められた必須の表示内容（例えば、現在位置を示すマーク）が隠れてしまうか否か調べる。そして、隠れてしまう場合、必須表示内容を、位置が変更された入力受付ボタンにより隠れない位置（図７の例では、表示画面４００の上方）に修正する。
【００５１】
こうすれば、現在位置を示す地図表示をしている場合に、入力受付ボタンの位置が変更しても、現在位置を示すマークが隠れることがない。
【００５２】
＜変形例６＞
また、ユーザの指がアームレスト３に置いた手首を軸として動くことに配慮して、指の移動軌跡上に入力受付ボタンが配置されるように変更してもよい。
【００５３】
図８は、かかる場合における、入力受付ボタンの配置の変更の様子を示す画面遷移図である。アームレストスイッチ３２がＯＦＦの場合、画面表示部１３は、図８（Ａ）に示すように、表示画面４００に、入力受付ボタン４６１を、予め定められた配置で表示する。一方、アームレストスイッチ３２がＯＮの状態では、図８（Ｂ）に示すように、入力受付ボタン４６２を、指の移動軌跡（例えば、扇型）に配置して、表示画面４４２の下方に表示する。
【００５４】
なお、ユーザが複数の指でタッチすることもあるので、それぞれ指の位置に対応する位置に、受付ボタンを配置するようにしてもよい。
【００５５】
以上、いくつかの変形例を説明したが、上記変形例は、適宜組み合わせることができる。例えば、メニュー表示するモードに応じて、入力受付ボタンの表示の態様の変更方法を変えてもよい。また、表示の態様の変更方法の指定を、ユーザから受け付けてもよい。
【００５６】
また、上記実施形態では、表示装置４０の表示方向の下方のアームレスト３にユーザの手の位置を検知するスイッチを設けたが、これに制限されない。ユーザの手を検知するスイッチ（装置）の場所に制限はない。例えば、表示装置４０の上部、左側、または右側であってもよい。
【００５７】
ポータブルな情報機器では、ユーザによっては、側面に特定の指（例えば、小指）を引っ掛けて操作することもある。このことに配慮して、タッチパネルの筐体（表示装置の筐体）の側面にユーザの手を検知するスイッチを設けてもよい。そして、ユーザの手を検知した場合、画面表示部１３は、そのスイッチの設置方向に近づくように、入力受付ボタンの配置を移動させる。
【００５８】
なお、本発明の入力装置は、車載用ナビゲーション装置に限定されず、様々な情報機器の入力装置に適用することができる。
【図面の簡単な説明】
【００５９】
【図１】図１は、本発明の一実施形態が適用された車載用ナビゲーション装置の概略構成図である。
【図２】図２は、車載用ナビゲーション装置の設置された様子を説明する図である。
【図３】図３は、入力受付ボタンの表示処理のフロー図である。
【図４】図４は、アームレストスイッチＯＮ時の画面遷移例である。
【図５】図５は、アームレストスイッチＯＮ時の画面遷移例である。
【図６】図６は、アームレストスイッチＯＮ時の画面遷移例である。
【図７】図７は、アームレストスイッチＯＮ時の画面遷移例である。
【図８】図８は、アームレストスイッチＯＮ時の画面遷移例である。
【符号の説明】
【００６０】
１・・・車載用ナビゲーション装置、
１０・・・制御装置、１１・・・処理実行部、１２・・・入力内容解析部、１３・・・画面表示部、１４・・・入力受付画面データ
２０・・・現在位置算出装置
３０・・・入力装置、３１・・・タッチパネル、３２・・・アームレストスイッチ、
４０・・・表示装置
【図１】
2008129689.tif 000003
【図２】
2008129689.tif 000004
【図３】
2008129689.tif 000005
【図４】
2008129689.tif 000006
【図５】
2008129689.tif 000007
【図６】
2008129689.tif 000008
【図７】
2008129689.tif 000009
【図８】
2008129689.tif 000010